(57)【特許請求の範囲】
【請求項１】
筒部を有すると共に、この筒部より外方にフランジ部を有する本体枠と、
この本体枠の筒部の内方に取付けられたモータ及びファンと、
前記本体枠のフランジ部を覆って取付けられ、前記ファンが吸引する空気を通す通気口を有すると共に、周壁部を有する化粧枠と、
この化粧枠の周壁部より内側に設けられた遮風可能な壁とを具備するものにおいて、
その遮風可能な壁より内側に位置して前記本体枠のフランジ部に、電源電線を引き込むための孔を形成すると共に、この孔の周囲部に切欠部を形成し、前記モータから導出された口出線をその切欠部を通してフランジ部の表側に引き込むようにしたことを特徴とする換気扇。
【請求項２】
口出線の先端部に、口出線の幅より大きく、電源電線を引き込むための孔より小さく定めた電装品を有することを特徴とする請求項１記載の換気扇。
【請求項３】
電源電線を引き込むための孔に電源電線を挿通するコードブッシュを装着したことを特徴とする請求項１記載の換気扇。
【請求項４】
本体枠のフランジ部の表側に、引き込んだモータの口出線の一部を係止させる係止部を設けたことを特徴とする請求項１記載の換気扇。
【請求項５】
本体枠のフランジ部の表側に、引き込んだモータの口出線の一部を収納する収納部を設けたことを特徴とする請求項１記載の換気扇。
【請求項６】
本体枠のフランジ部に、口出線の先端部に設けた電装品を位置選択して固定する複数の固定部を設けたことを特徴とする請求項１記載の換気扇。
【請求項７】
本体枠のフランジ部に、口出線の先端部に設けた電装品を位置選択して固定する長孔状の取付孔を設けたことを特徴とする請求項１記載の換気扇。
【発明の詳細な説明】
【０００１】
【発明の属する技術分野】
本発明はモータから導出された口出線の引き込み構造を改良した換気扇に関する。
【０００２】
【従来の技術】
従来より、換気扇においては、一般に、図１０に示すように、本体枠１が、例えば円筒状の筒部２を中央部に具え、この筒部２より外方に例えば四角形のフランジ部３を具える構造で、その筒部２の内方にモータ４が取付けられ、このモータ４にファン５が取付けられている。又、本体枠１には上記フランジ部３を図１１に示すように覆う化粧枠６が取付けられ、この化粧枠６には上記ファン５が吸引する空気を通す通気口７が形成されている。
【０００３】
そして更に、本体枠１のフランジ部３には、図１０及び図１２に示すように、筒部２の周囲部からフランジ部３外周の周壁部８側（図中左側）へ延びる溝部９が、裏側（室外側）から表側（室内側）への突出部１０によって裏面に形成され、更に、その外方側には切欠部１１が上記周壁部８からフランジ部３の一部を切欠して形成されている。
【０００４】
これに対して、前記モータ４から導出された口出線１２は、図１１に示すように、筒部２の後方（室外側）より筒部２の外周を通して、更に溝部９を通し、切欠部１１からフランジ部３の表側へ引き込まれ、このフランジ部３の表側で接続端子１３（図１０及び図１２参照）により図示しない電源電線に接続されるようになっている。
【０００５】
【発明が解決しようとする課題】
上述のものにおいて、図１１には家屋の壁１４に貫通状態で設けた通気用のパイプ１５をも示しており、本体枠１はそのパイプ１５に筒部２を挿入して取付けられている。こうした取付状態で、室外（図中下方）からは、外風が矢印Ａで示すようにパイプ１５と筒部２との間を通り、更に溝部９を通って侵入することにより、化粧枠６の周壁部１６に当たる。又、このとき、外風の一部が化粧枠６の周壁部１６と家屋の壁１４との間から漏れて室内へ至ることにより、いわゆる風通しが良くなって、外風の侵入が盛んになり、化粧枠６の周壁部１６には更に多くの外風が当たるようになる。
【０００６】
これに対して、上述の換気扇は多湿環境例えば浴室においても使用されるもので、このような場合、特に冬季等の低温時には、上述のように侵入する外風の温度も低いため、化粧枠６の周壁部１６中、その外風が当たる部分ではかなり温度が降下する。このため、その外面では室内の水蒸気が冷やされることによって露１７が発生し、これがいずれ垂れ落ちて床面等をぬらしてしまう。
【０００７】
又、上述のものにおいては、モータ４の口出線１２をフランジ部３の表側へ引き込むための切欠部１１が本体枠１の周壁部８からフランジ部３の一部を切欠して形成されているため、その両側部分、中でも周壁部８に変形を生じやすい。特に、本体枠１は一般にプラスチックにより型成形されており、その成形後、型から取出した時点では、まだ充分に降温しておらず、その降温が進み、熱収縮する過程で、上記本体枠１の切欠部１１の両側部分が歪み、図１３に二点鎖線で示すように外方へ傾いて、化粧枠６の取付けが困難になるというような不具合を生じていた。
【０００８】
本発明は上述の事情に鑑みてなされたものであり、従ってその目的は、モータの口出線の引き込み部分に関して、化粧枠の周壁部に外風の侵入が原因の露付きを生じず、本体枠の周壁部に変形を来たすこともない換気扇を提供するにある。
【０００９】
【課題を解決するための手段】
上記目的を達成するために、本発明の換気扇においては、筒部を有すると共に、この筒部より外方にフランジ部を有する本体枠と、この本体枠の筒部の内方に取付けられたモータ及びファンとを具備すると共に、上記本体枠のフランジ部を覆って取付けられ、上記ファンが吸引する空気を通す通気口を有すると共に、周壁部を有する化粧枠と、この化粧枠の周壁部より内側に設けられた遮風可能な壁とを具備するものにあって、その遮風可能な壁より内側に位置して上記本体枠のフランジ部に、電源電線を引き込むための孔を形成すると共に、この孔の周囲部に切欠部を形成し、上記モータから導出された口出線をその切欠部を通してフランジ部の表側に引き込むようにしたことを特徴とする。
【００１０】
このものによれば、モータの口出線を引き込んだ本体枠フランジ部の切欠部から外風の侵入があって、それが化粧枠の周壁部に向かっても、それはそれより内側に位置する遮風可能な壁によって遮られ、化粧枠の周壁部に到達することはない。このため、化粧枠の周壁部は外風による冷却を受けず、浴室など多湿環境で使用されても、従来のもののような露付きを生じない。
又、上記本体枠フランジ部の切欠部は電源電線を引き込むための孔の周囲部に形成したもので、本体枠の周壁部を切欠する必要がないので、その本体枠の周壁部に歪みを生じることも避けられる。
【００１１】
【発明の実施の形態】
以下、本発明の第１実施例につき、図１ないし図５を参照して説明する。
まず図２には換気扇の全体構成を取付状態で示しており、家屋の壁２１に貫通状態で設けた通気用のパイプ２２に、本体枠２３の筒部２４を室内側（図中左側）より挿入している。この本体枠２３の筒部２４は例えば円筒状で、挿入先部分の外周部に複数個（１個のみ図示）の板ばね２５を取付部材としてあらかじめ取付けており、この板ばね２５をパイプ２２の内周面に圧接させて抜け止めをしている。
【００１２】
又、本体枠２３の筒部２４の挿入先部分の内部には、円環状のモータ取付部２６を複数個のリブ２６ａで連ねて形成しており、これにモータ２７を複数個のねじ２８によって取付けている。更に、モータ２７の回転軸２９にはファン３０を取付けて、このファン３０を筒部２４内に位置させている。
【００１３】
一方、筒部２４の前縁部にはこれより外方に平坦部３１を形成し、更にこの平坦部３１から筒部２４と平行に室外側（図中右側）へ延びる段部３２を形成している。又、この段部３２から外方へはフランジ部３３を形成し、このフランジ部３３からは筒部２４と平行に室内側へ延びる周壁部３４と、室外側へ少しく延びる補助周壁部３５とを形成している。従って、本体枠２３は筒部２４を中心に、平坦部３１、段部３２、フランジ部３３、周壁部３４及び補助周壁部３５を有するもので、例えばプラスチックによりそれらを一体に形成している。この場合、図１に示すように、平坦部３１と段部３２は円環形であり、フランジ部３３と周壁部３４及び補助周壁部３５は四角形としている。
【００１４】
そして、上記本体枠２３のフランジ部３３の下部、中でも上記円環形の平坦部３１及び段部３２との間で広くなった左側の隅部には、後述する電源電線を引き込むための孔３６を形成すると共に、この孔３６の周囲部（図中右側）に位置して切欠部３７を形成している。この場合、孔３６は円形であり、切欠部３７はＵ字形で、これらは連通している。
【００１５】
これに対して、図３には前記モータ２７から導出させた口出線３８を示しており、これの先端部には接続端子３９を取付けている。この接続端子３９は例えば裸線を挿入部４０に挿入するだけのことで内部でチャックし接続状態に保持する速結端子（ＳＬ端子ともいう）であって、電装品であり、その大きさ、特に幅Ｗ１  は口出線３８の幅Ｗ２  より大きい（Ｗ１  ＞Ｗ２  ）。たゞし、この接続端子３９の幅Ｗ１  は上述の孔３６の直径Ｄよりは小さく定めている（Ｗ１  ＜Ｄ）。又、切欠部３７の幅Ｗ３  は口出線３８の幅Ｗ２  とほゞ同等に定めている。
【００１６】
この構成で、口出線３８を引き込むについては、まず、接続端子３９から口出線３８を、本体枠２３のフランジ部３３の裏側（室外側）から孔３６に通してフランジ部３３の表側（室内側）へ引き込む。図１はこのときの状態を示しており、この状態から、次に口出線３８を切欠部３７に嵌入する。そして、孔３６には図４に示すようにコードブッシュ４１を装着して、孔３６を塞ぎ、同時に切欠部３７からの口出線３８の抜け出しを阻止するようにもしている。
【００１７】
なお、コードブッシュ４１は合成ゴムなど軟質材から成るもので、中央部に十字状の切目４２を有しており、この切目４２からコードブッシュ４１を押し開いて図４及び図５に二点鎖線で示す電源電線４３を本体枠２３のフランジ部３３の裏側から表側へ引き込む。又、電源電線４３とモータ２７の口出線３８のそれぞれフランジ部３３裏側に残された部分は、前記本体枠２３の補助周壁部３５による家屋の壁２１とフランジ部３３の裏面との間の隙間Ｇ１（図２参照）に位置され、更に口出線３８のモータ２７側の部分は前記パイプ２２と本体枠２３の筒部２４との間の隙間Ｇ２（図２参照）に通されている。
【００１８】
一方、図５には接続端子３９を収納して固定手段であるねじ４４により本体枠２３のフランジ部３３の左側上部に固定した例えばプラスチック製の端子カバー４５を示しており、上述のごとく引き込んだ電源電線４３はその先端部の裸線部を上記端子カバー４５外から接続端子３９に挿入して接続し、これによって、電源電線４３から接続端子３９、口出線３８を通じてモータ２７に通電がなされるようになっている。
【００１９】
そして又、図２には本体枠２３の前方に取付けた化粧枠４６を示している。この化粧枠４６はプラスチック製で、本体枠２３のフランジ部３３と同形の平坦部４７を主体部としており、この平坦部４７の外周部に形成した周壁部４８を、本体枠２３の周壁部３４外側に嵌合して、図示しない係合爪等の係合手段により着脱可能に取付け、本体枠２３のフランジ部３３を覆っている。
【００２０】
又、上記化粧枠４６の平坦部４７の中央部には通気口４９を形成しており、この通気口４９はベルマウス４９ａを介して外部の空気と連通している。
この結果、前記モータ２７が通電されれば、ファン３０が回転駆動されて室内の空気を吸引し、上記化粧枠４６の通気口４９から本体枠２３の筒部２４を通して室外に排出するようになっている。
【００２１】
次に、上記構成のものの作用を述べる。
図２に示す取付状態では、外風が、室外（図中右側）からパイプ２２と本体枠２３の筒部２４との間の隙間Ｇ２を通って、モータ２７の口出線３８を引き込んだ本体枠フランジ部３３の切欠部３７に達し、ここから室内側（図中左側）へ侵入することが考えられる。この外風の侵入があった場合、それは切欠部３７の周縁に沿って更に図４に矢印Ｂで示すように化粧枠４６の周壁部４８へ向かうことが考えられる。
【００２２】
これに対して、上記構成のものでは、化粧枠４６の周壁部４８より内側に本体枠２３の周壁部３４が位置し、これが化粧枠４６の周壁部４８へ向かった風の遮断をする。すなわち、上記構成のものでは、本体枠２３の周壁部３４が遮風をする壁として機能するもので、これにより、化粧枠４６の周壁部４８に外風が到達することが避けられる。このため、化粧枠４６の周壁部４８は外風による冷却を受けず、換気扇が浴室など多湿環境で使用されても、従来のもののような露付きを生じることはなく、かくして、露の垂れ落ちによる床面等のぬれも防止することができる。
【００２３】
又、上記本体枠フランジ部３３の切欠部３７は電源電線４３を引き込むための孔３６の周囲部に形成したもので、従来の切欠部１１とは違い、本体枠３７の周壁部４８を切欠する必要がないので、その本体枠３７の周壁部４８に切欠部を因とした歪み、特に外方への傾きを生じることが避けられる。よって、化粧枠４６の取付けも本体枠３７の周壁部４８の歪みに悩まされることなく容易に行い得るようになる。
【００２４】
加えて、上記構成のものでは、モータ２７の口出線３８の先端部に電装品である接続端子３９を有していて、これの大きさは口出線３８の幅より大きいものの、電源電線４３を引き込むための孔３６より小さく定めているので、該接続端子３９を口出線３８の先端部にあらかじめ接続した状態でその孔３６を通して引き込むことができる。よって、引き込み前に接続端子３９を接続するのを避けて口出線３８のみ引き込んだ後に接続端子３９を接続するというような手間も必要なく、取付時の作業を容易に済ませることができる。
【００２５】
又、電源電線４３を引き込むための孔３６には電源電線４３を挿通するコードブッシュ４１を装着している。これにより、孔３６を極力塞いで外風が一層侵入しないようにできると共に、切欠部３７からの口出線３８の抜け出しをそのブッシュ４１を利用して合理的に阻止することができる。
【００２６】
以上に対して、図６は本発明の第２実施例を示す。このものでは、本体枠２３のフランジ部３３の表側、中でも切欠部３７近くの部分に、引き込んだモータ２７の口出線３８の一部を係止させる係止部としてのピン状突起５１を設けており、その係止によって、切欠部３７から端子カバー４５の固定部分までの口出線３８のたるみをなくすことができる。
【００２７】
又、この場合、ピン状突起５１は複数個設けており、上記切欠部３７から端子カバー４５の固定部分までの口出線３８のたるみが大きいほど、切欠部３７から遠いピン状突起５１を選択して、この選択したピン状突起５１に口出線３８の一部を係止させることにより、口出線３８のたるみをより確実になくすことができる。
【００２８】
なお、口出線３８は、たるみが本体枠２３のフランジ部３３裏側で生じると、パイプ２２の室内側エッジ２２ａ（図２参照）に挟圧されて傷付くおそれがある。このため、口出線３８をフランジ部３３の表側に充分引き込む必要があるが、それにより、口出線３８のたるみがフランジ部３３の表側で生じても、口出線３８が本体枠２３の周壁部３４と化粧枠４６の周壁部４８との間に挟まれたりして、化粧枠４６の取付けが困難になり、好ましくない。従って、上述のようにして口出線３８のたるみをなくし得ることにより、そうした不具合をもなくし得るものであり、有効である。
【００２９】
図７は本発明の第３実施例を示す。このものでは、本体枠２３のフランジ部３３の表側に、引き込んだモータ２７の口出線３８の一部を収納する収納部としての一対の囲いリブ５２，５３を設けており、その収納によっても、切欠部３７から端子カバー４５の固定部分までの口出線３８のたるみをなくすことができる。又、この場合も、上記切欠部３７から端子カバー４５の固定部分までの口出線３８のたるみが大きいほど、囲いリブ５２，５３間に収納する口出線３８の量を多くすることにより、口出線３８のたるみをより確実になくすことができる。しかも、その調節は上記ピン状突起５１の個数で決まるような制限がなく、無段階に調節することができる。
【００３０】
図８は本発明の第４実施例を示す。このものでは、本体枠２３のフランジ部３３に、口出線３８先端部の接続端子３９を固定する固定部としての取付孔５４を、切欠部３７からの距離を異ならせて複数設けている。この場合、切欠部３７から端子カバー４５の固定部分までの口出線３８のたるみが大きいほど、切欠部３７から遠い取付孔５４を選択して、この選択した取付孔５４に固定手段であるねじ５５でもって接続端子３９を固定することにより、口出線３８のたるみをより確実になくすことができる。
【００３１】
図９は本発明の第５実施例を示す。このものでは、本体枠２３のフランジ部３３に、口出線３８先端部の接続端子３９を固定するのに長孔状の取付孔５６を設けている。この場合、切欠部３７から端子カバー４５の固定部分までの口出線３８のたるみが大きいほど、取付孔５６の反切欠部３７側に接続端子３９を置いて固定手段であるねじ５７により固定することによって、口出線３８のたるみをより確実になくすことができる。しかも、この場合、その接続端子３９の固定位置は取付孔５６の長さの範囲で無段階に調節できる。
【００３２】
なお、上記実施例では本発明を家屋の壁２１に設けた通気用のパイプ２２に本体枠２３の筒部２４を挿入して取付けるパイプ用ファンに適用して述べたが、それに限られるものではなく、通常の台所用や居間用等の換気扇にも同様に適用して実施できるものであり、従って、筒部２４の形状も円筒状に限られず、四角筒状等であっても良い。
又、切欠部３７から侵入した風を遮断する遮風可能な壁も、本体枠２３の周壁部３４に限られず、それとは別に設けられていても良いし、あるいは化粧枠４５に周壁部４８の内側に位置して設けられていても良い。
【００３３】
更に、電源電線４３を引き込むための孔３６は円形でなくても良く、モータ２７の口出線３８を引き込むための切欠部３７もＵ字形でなくても良い。
そして、モータ２７の口出線３８が先端部に具える電装品は接続端子３９でなくても良く、接続端子３９であったとしても速結端子でなく通常のコネクタ等であっても良い。
又、ベルマウス４９ａは化粧枠４６と別体のものであっても良い。
このほか、本発明は上記し且つ図面に示した実施例にのみ限定されるものではなく、要旨を逸脱しない範囲内で適宜変更して実施し得る。
【００３４】
【発明の効果】
本発明は以上説明したとおりのもので、下記の効果を奏する。
請求項１の換気扇によれば、モータの口出線の引き込み部分に関して、化粧枠の周壁部に外風の侵入が原因の露付きを生じないようにできて、露の垂れ落ちによる床面等のぬれを防止できると共に、本体枠の周壁部に変形を来たすこともなく、化粧枠の取付け等を容易に行なうことができる。
【００３５】
請求項２の換気扇によれば、モータの口出線の先端部にそれの幅より大きな電装品をあらかじめ接続した状態で引き込むことができて、取付時の作業を容易に済ませることができる。
請求項３の換気扇によれば、外風が一層侵入しないようにできると共に、そのための部品を利用して口出線引き込み部からのモータの口出線の抜け出しをも阻止することができる。
【００３６】
請求項４ないし７の換気扇によれば、モータの口出線の本体枠フランジ部の裏側及び表側両方のたるみを防止できて、該口出線の傷付きを防止できると共に、化粧枠の取付けが困難になるような不具合の発生も避けることができる。
更に、そのうちの請求項５及び７の換気扇によれば、モータの口出線のたるみを無段階に調節し得て、より確実にたるみをなくすことができる。
【図面の簡単な説明】
【図１】本発明の第１実施例を示す主要部分の斜視図
【図２】全体の取付状態での縦断側面図
【図３】モータ部分の斜視図
【図４】主要部分の図１とは異なる状態の斜視図
【図５】主要部分の正面図
【図６】本発明の第２実施例を示す図５相当図
【図７】本発明の第３実施例を示す図５相当図
【図８】本発明の第４実施例を示す図４相当図
【図９】本発明の第５実施例を示す図４相当図
【図１０】従来例を示す化粧枠取外し状態の正面図
【図１１】全体の取付状態での破断下面図
【図１２】図４相当図
【図１３】本体枠周壁部の歪みを示す部分図
【符号の説明】
２３は本体枠、２４は筒部、２７はモータ、３０はファン、３３はフランジ部、３４は周壁部（遮風可能な壁）、３６は孔、３７は切欠部、３８は口出線、３９は接続端子（電装品）、４１はコードブッシュ、４３は電源電線、４６は化粧枠、４８は周壁部、４９は通気口、５１はピン状突起（係止部）、５２，５３は囲いリブ（収納部）、５４は取付孔（固定部）、５６は取付孔を示す。
【図１】
0003634094.tif 000002
【図２】
0003634094.tif 000003
【図３】
0003634094.tif 000004
【図４】
0003634094.tif 000005
【図５】
0003634094.tif 000006
【図６】
0003634094.tif 000007
【図７】
0003634094.tif 000008
【図８】
0003634094.tif 000009
【図９】
0003634094.tif 000010
【図１０】
0003634094.tif 000011
【図１１】
0003634094.tif 000012
【図１２】
0003634094.tif 000013
【図１３】
0003634094.tif 000014